(57)【要約】【課題】ロータの回転バランスの調整を容易かつ低コストで行えると共に、微調整も容易に行える魚釣用スピニングリールを提供する。【解決手段】本発明に係る魚釣用スピニングリールは、ハンドルの巻き取り回転操作によって連動回転するロータ３と、ロータ３に設けられた釣糸案内部３ｄを介して釣糸が巻回されるスプールとを有する。そして、ロータ３の構成部材に、切削又は切断可能な質量調整用の突出部１０を形成したことを特徴とする。【選択図】図３
2012110251.tif 000002
【特許請求の範囲】
【請求項１】
ハンドルの巻き取り回転操作によって連動回転するロータと、前記ロータに設けられた釣糸案内部を介して釣糸が巻回されるスプールとを有する魚釣用スピニングリールにおいて、
前記ロータの構成部材に、切削又は切断可能な質量調整用の突出部を形成したことを特徴とする魚釣用スピニングリール。
【請求項２】
前記突出部は、前記ロータの構成部材の内、少なくとも１つの部材に複数個所形成されていることを特徴とする請求項１に記載の魚釣用スピニングリール。
【請求項３】
前記突出部を形成する部材は、前記ロータの構成部材である支持アーム、カバー部材及びベール支持部材の少なくとも１つを含むことを特徴とする請求項１又は２に記載の魚釣用スピニングリール。
【請求項４】
ハンドルの巻き取り回転操作によって連動回転するロータと、前記ロータに設けられた釣糸案内部を介して釣糸が巻回されるスプールとを有する魚釣用スピニングリールの製造方法において、
前記魚釣用スピニングリールの構成部材を、切削又は切断可能な質量調整用の突出部を有するように成形する工程と、
前記成形された構成部材を研磨する工程と、
前記研磨された構成部材を表面処理する工程と、
前記表面処理された構成部材の突出部を切削又は切断することで質量調整する工程と、
前記質量調整された構成部材を組み立てる工程と、
を有することを特徴とする魚釣用スピニングリールの製造方法。
【発明の詳細な説明】
【技術分野】
【０００１】
本発明は、魚釣用スピニングリールに関し、詳細には、ロータの回転バランスの向上が図れる魚釣用スピニングリール、及びその製造方法に関する。
【背景技術】
【０００２】
一般的に、魚釣用スピニングリールは、ハンドルの巻き取り回転操作によって、連動回転するロータ及び前後動するスプールを備えた構造となっており、前記ロータは、回転バランスの向上を図るように、ロータの内部に、位置調節を自在とする移動可能なバランサを設置することが知られている（例えば、特許文献１，２参照）。また、特許文献３には、ロータ周縁部の適切な位置にバランサをネジ止めして、ロータの回転バランスの向上を図ることが可能な魚釣用スピニングリールが開示されている。
【０００３】
さらに、上記した構成以外に、ロータの回転バランスが図れるように、ロータの所定位置にバランサを接着によって固定することも行われている。
【先行技術文献】
【特許文献】
【０００４】
【特許文献１】実開昭５２−８０８８７号
【特許文献２】実開昭５２−８０８８８号
【特許文献３】実開平５−１５７６７号
【発明の概要】
【発明が解決しようとする課題】
【０００５】
しかし、上記した公知技術では、バランサの移動領域を確保したり、ネジ止めするための領域を確保する必要があり、そのための大きなスペースが必要となって設計自由度に制限がある。また、微調整するに際しては、バランサを多品種準備すると共に高い重量精度が必要とされるため、コスト上問題がある。
【０００６】
さらに、接着によるバランサの固定方法では、接着されたバランサが衝撃等によって外れてしまう可能性があり、その場合、ロータ回転時の振動の問題が生じると共に、部材間に挟まって作動できなくなる可能性もある。
【０００７】
本発明は、上記した問題に着目してなされたものであり、ロータの回転バランスの調整を容易かつ低コストで行えると共に、微調整も容易に行える魚釣用スピニングリール、及びその製造方法を提供することを目的とする。
【課題を解決するための手段】
【０００８】
上記した目的を達成するために、本発明は、ハンドルの巻き取り回転操作によって連動回転するロータと、前記ロータに設けられた釣糸案内部を介して釣糸が巻回されるスプールとを有する魚釣用スピニングリールにおいて、前記ロータの構成部材に、切削又は切断可能な質量調整用の突出部を形成したことを特徴とする。
【０００９】
上記した構成の魚釣用スピニングリールのロータは、複数の構成部材（ロータ本体、一対の支持アーム、カバー部材、ベール支持部材、ベールなど）によって構成されており、これらの構成部材を成形する際、予め、切削又は切断可能な質量調整用の突出部が形成される。そして、このような突出部は、組み立て時、或いはメンテナンス時などにおいて、適宜切削（切断）することで、容易に質量（質量分布）を調整することができ、最適なロータの回転バランスが得られる。また、突出部は、単に切削（切断）するだけであるため、微調整が可能であるとともに外れたりすることはなく、更には、空いたスペース部分に形成するため、バランサ用の大きなスペースが必要とされることもない。
【００１０】
また、上記した課題を解決するために、本発明は、ハンドルの巻き取り回転操作によって連動回転するロータと、前記ロータに設けられた釣糸案内部を介して釣糸が巻回されるスプールとを有する魚釣用スピニングリールの製造方法において、前記ロータの構成部材を、切削又は切断可能な質量調整用の突出部を有するように成形する工程と、前記成形された構成部材を研磨する工程と、前記研磨された構成部材を表面処理する工程と、前記表面処理された構成部材の突出部を切削又は切断することで質量調整する工程と、前記質量調整された構成部材を組み立てる工程と、を有することを特徴とする。
【００１１】
上記した魚釣用スピニングリールにおけるロータの構成部材は、成形工程時、研磨工程時、表面処理工程時において、質量のばらつきが生じる可能性がある。このような質量のばらつきについては、質量検査処理や層別処理する際に、構成部材に予め形成されている質量調整用の突出部を切削又は切断することで、容易に調整（微調整）することが可能となる。この場合、質量調整する工程は、例えば質量検査において良好な結果が得られていれば、実際の切削又は切断が行われないことも含まれる。
【発明の効果】
【００１２】
本発明によれば、ロータの回転バランスの調整を容易かつ低コストで行えると共に、微調整も容易に行える魚釣用スピニングリールが得られる。
【図面の簡単な説明】
【００１３】
【図１】本発明に係る魚釣用スピニングリールの一実施形態を示す図。
【図２】図１に示す魚釣用スピニングリールにおいて、ロータ及びスプール部分を反対側から見た図。
【図３】ロータを示す斜視図。
【図４】ロータの一方の支持アーム部分を示しており、カバー部材を取り外した状態を示す図。
【図５】図４に示す支持アームに取着されるカバー部材の内面側を示す図。
【図６】ベール支持部材の内面側を示す図。
【図７】ロータの他方の支持アーム部分を示しており、カバー部材を取り外した状態を示す図。
【図８】図７に示す支持アームに取着されるカバー部材の内面側を示す図。
【発明を実施するための形態】
【００１４】
図１は、本発明に係る魚釣用スピニングリールの一実施形態を示す図であり、図２は、図１に示す魚釣用スピニングリールにおいて、ロータ及びスプール部分を反対側から見た図である。最初に、これらの図を参照して、魚釣用スピニングリールの全体構成について説明する。
【００１５】
魚釣用スピニングリール１は、釣竿に装着するための竿取付け部２ａが形成されたリール本体２と、リール本体前方に回転可能に配されたロータ３と、ロータ３の回転運動と同期して前後動可能に配されたスプール５とを備えている。前記リール本体２には、ハンドル６が回転可能に支持されており、ハンドル６を巻き取り操作することで、リール本体２内に配設された公知の駆動力伝達機構を介して前記ロータ３は回転駆動され、かつ公知のオシレーティング機構を介して前記スプール５は前後往復駆動される。
【００１６】
前記ロータ３を構成する円筒状の本体３Ａには、略１８０°の間隔をおいて一対の支持アーム３ａ，３ａ´が対向するように形成されており、夫々の前端部には、ベール３ｂの基端部を取り付けたベール支持部材３ｃ，３ｃ´が釣糸放出位置と釣糸巻き取り位置との間で反転可能に支持されている。この場合、ベール支持部材３ｃ，３ｃ´は、一対の支持アーム３ａ，３ａ´の内、一方の支持アーム３ａ´側に設けられた公知のベール反転機構３Ｂ（図７参照）によって、釣糸放出位置と釣糸巻き取り位置に振分け保持されるようになっている。なお、ベール３ｂの一方の基端部は、ベール支持部材３ｃ´に一体的に設けられた釣糸案内部３ｄに取り付けられている。
【００１７】
上記した構成により、ハンドル６を巻き取り操作することで、ロータ３が回転駆動され、かつスプール５が前後動されるので、釣糸は、釣糸案内部３ｄを介してスプール５に均等に巻回される。また、釣糸を放出する場合、ベール支持部材３ｃ，３ｃ´を、図１に示す釣糸巻き取り位置から釣糸放出位置に反転操作して、釣糸を釣糸案内部３ｄから外して釣竿を振り下ろすことで行なわれる。そして、釣糸を放出した後は、再び、ベール支持部材３ｃ，３ｃ´を、図１に示す釣糸巻き取り位置に反転復帰させる。このとき、釣糸はベール３ｂによってピックアップされ、釣糸案内部３ｄに案内される。なお、釣糸放出位置にあるベール支持部材３ｃ，３ｃ´は、ハンドル６を巻き取り操作することで、釣糸巻き取り位置へ自動で反転復帰することが可能となっている。
【００１８】
次に、図３から図８を参照して、図１に示すロータ構造について具体的に説明する。これらの図において、図３は、ロータを示す斜視図、図４は、ロータの一方の支持アーム部分を示しており、カバー部材を取り外した状態を示す図、図５は、図４に示す支持アームに取着されるカバー部材の内面側を示す図、図６は、ベール支持部材の内面側を示す図、図７は、ロータの他方の支持アーム部分を示しており、カバー部材を取り外した状態を示す図、そして、図８は、図７に示す支持アームに取着されるカバー部材の内面側を示す図である。
【００１９】
前記ロータ３は、上述したように、複数の構成部材、すなわち、ロータ本体３Ａ、ロータ本体３Ａに対して略１８０°の間隔をおいて形成された一対の支持アーム３ａ，３ａ´、一対の支持アームの前端部に回動可能に支持され、それぞれベール３ｂの基端部を保持した反転可能なベール支持部材３ｃ，３ｃ´、一方のベール支持部材３ｃ´側に設けられた釣糸案内部３ｄ、ベール支持部材３ｃ，３ｃ´を釣糸放出位置と釣糸巻き取り位置との間で反転可能に振り分け保持するベール反転機構３Ｂ、及び、一対の支持アーム３ａ，３ａ´をそれぞれカバーするカバー部材３ｅ，３ｅ´等を備えている。なお、上記したベール反転機構３Ｂは、一方の支持アーム３ａ´とカバー部材３ｅ´との間に配設され、カバー部材３ｅ´を被着することで閉塞される。
【００２０】
上記したロータ本体３Ａは、金属や合成樹脂によって形成されており、一対の支持アーム３ａ，３ａ´と共に鋳造等によって一体成形される。このようなロータ本体３Ａに対して、上記したベール反転機構３Ｂを組み込むと共に、ベール３ｂを保持した一対のベール支持部材３ｃ，３ｃ´を装着し、支持アーム３ａ，３ａ´に、カバー部材３ｅ，３ｅ´を被着することでロータ３が組み立てられる。そして、このように組み立てられたロータ３は、他の構成部品（前記スプール５及びハンドル６等）と共にリール本体２に組み付けられることで、魚釣用スピニングリール１が製造される。
【００２１】
上記したロータ３の構成部材には、切削又は切断可能な質量調整用の突出部１０が形成されている。この突出部１０は、上記したようにロータの構成部材を成形する際、空いたスペース部分に適宜、一体形成することが可能であり、最終的にロータ（魚釣用スピニングリール）を組み立てた状態で外部に露出しない領域に一体形成される。そして、このような突出部１０は、質量検査処理をする際、或いは層別処理する際に、切削したり切断することで、質量調整することが可能となっている。
【００２２】
前記突出部１０は、ロータ３の構成部材のいずれかに形成しておくことが可能であり、複数個所に形成しておくことで、質量調整に加え、質量分布の調整が容易に精度良く行えるようになる。例えば、図３に示すように、ロータ本体３Ａの円筒部３ｆの底面３ｈに周方向に沿って複数個（４箇所）形成したり、図４に示すように、支持アーム３ａの内面３ｍに複数個（５箇所）形成することが可能である。また、図５に示すように、カバー部材３ｅの内面３ｎに複数個（３箇所）形成したり、図６に示すように、ベール支持部材３ｃの内面３ｐに形成することも可能である。また、図７及び図８に示すように、上記したベール反転機構３Ｂの動作に干渉しないように、他方側の支持アーム３ａ´の内面３ｍ´に複数個（２箇所）形成したり、カバー部材３ｅ´の内面３ｎ´に複数個（２箇所）形成することも可能である。
【００２３】
上記したような突出部１０については、ロータ３をユニット化する際に、突出部１０を適宜切削（切断）することで、部分的な質量を減少でき、ロータの質量分布を容易かつ精度良く調整して回転バランスを向上することが可能となる。
【００２４】
また、突出部１０は、構成部材に対して１箇所形成したものであっても良いが（図６参照）、ロータ構成部材のいずれかの部材に複数個所形成しておくことで、質量調整に加え、質量分布の調整が容易に行えるようになる。例えば、ロータの前後方向（或いは、回転方向）に２箇所形成したことを考慮すると、いずれか一方を切削（切断）することで、同質量としながら、重心位置を変えるような調整も容易、かつ精度良く行えるようになる。
【００２５】
さらに、上記したような突出部１０については、ロータ３の構成部材の内、少なくとも支持アーム３ａ，３ａ´、カバー部材３ｅ，３ｅ´、及びベール支持部材３ｃ，３ｃ´のいずれかに形成しておくことが好ましい。
【００２６】
これらの部材は、ロータの回転中心（スプール軸５ａの位置となる）の外周側に位置することから、質量分布がロータユニットの回転バランスに与える影響が大きくなり、容易にロータの回転バランスを調整することが可能となる。また、突出部１０を比較的小さく形成しても、外周側に位置するため、ロータの回転バランスを調整し易く、かつ図４から図８に示すように、外部に露出しないように突出部を形成し易い（糸絡みが生じることもない）。さらに、支持アーム、カバー部材、及びベール支持部材は、意匠性の向上を図るために、表面処理を施すことが多く、質量がばらつき易いという問題があるが、上記したような突出部１０を形成しておくことにより、そのようなばらつきも容易に調整することが可能となる。
【００２７】
次に、上記した構成の魚釣用スピニングリールの製造方法（特に、ロータ部分の製造方法例）について説明する。  
ロータ３の構成部材（例えば、一対の支持アーム３ａ，３ａ´を有する本体３Ａやカバー部材３ｅ，３ｅ´）については、上述したような質量調整用の突出部１０を有するように、鋳造によって一体成形される。この成形工程時では、理想的な質量、及び質量分布があるものの、成形時におけるボイド（気泡）の発生、或いは構成材料の流動性の変化等によってばらつきが生じる可能性がある。
【００２８】
上記したように成形された構成部材は、その表面領域に凹凸があるため、引き続きバレル研磨やバフ研磨等による研磨処理が施される。この際、研磨状態を均一に制御することは困難であり、理想的な質量、及び質量分布に対してばらつきが生じる可能性がある。
【００２９】
引き続き、意匠性の向上、表面保護等を図るため、上記のように研磨された構成部材に対して、メッキ、イオンプレーティング等によって表面処理が施される。この際、表面層を均一に制御することは困難であり、理想的な質量、及び質量分布に対してばらつきが生じる可能性がある。
【００３０】
以上のような処理工程時で生じ易いばらつきについては、予め形成されている突出部１０を切削又は切断することで質量調整され、この質量調整については、層別の範囲、或いは、実際に個別に質量検査を行うことで任意に調整することが可能である。すなわち、必要な管理幅のなかで、単に突出している部材を切削等の処理をするだけで、質量調整（質量分布調整）が、容易かつ高精度に行うことが可能となる。
【００３１】
そして、上記したように質量調整された構成部材を組み合わせることで、ロータユニットとなり、最終的な魚釣用スピニングリールが製造される。  
上記したように、ロータ３の構成部材については、質量（質量分布）が調整されていることから、ロータの回転バランスが良い魚釣用スピニングリールが得られる。
【００３２】
以上、本発明の実施形態について説明したが、上記した質量調整用の突出部１０については、その形成位置、形成個数、高さや径（太さ）について、適宜変形することが可能であり、また、上記した切削や切断による質量調整には、突出部１０を折り曲げるような手法も含まれる。また、そのような突出部１０については、製造工程において、ロータ３の回転バランスを検査しながら所定の位置を切削しても良いし、アフターメンテナンス時において、理想の回転バランスとなるように切削などしても良い。
【符号の説明】
【００３３】
１  魚釣用スピニングリール
２  リール本体
３  ロータ
３Ａ  ロータ本体
３ａ，３ａ´  支持アーム
３ｂ  ベール
３ｃ，３ｃ´  ベール支持部材
３ｅ，３ｅ´  カバー部材
６  ハンドル
１０  突出部
【図１】
2012110251.tif 000003
【図２】
2012110251.tif 000004
【図３】
2012110251.tif 000005
【図４】
2012110251.tif 000006
【図５】
2012110251.tif 000007
【図６】
2012110251.tif 000008
【図７】
2012110251.tif 000009
【図８】
2012110251.tif 000010